(57)【要約】【課題】製品状態において取り外してスキャナ筐体内を清掃することが困難な場合に、スキャナ筐体内に入り込んで読取モジュールのカバーガラス上に乗ったゴミ、埃等の異物の除去を、ユーザが清掃を意識することなく行える、さらにはカバーガラス上に異物が乗りにくい画像読取装置を提供する。【解決手段】画像読取装置１には画像の読取りのための読取モジュール３３が備えられ、ホームポジションに位置する状態の読取モジュール３３及びブラケット３４は、回動軸３５を中心にして９０度回動可能とされている。カバー面が鉛直方向と平行となる姿勢になるまで傾けることにより、画像読取装置１の外部から混入してカバー面上に乗ったゴミや埃等の異物を落とすことができ、カバー面上に乗った異物が画像の読取りの精度を劣化させることが抑制できる。【選択図】図１
2010161700.tif 000002
【特許請求の範囲】
【請求項１】
上方に配置されたシートの表面に形成された画像を読み取る読取部と、
前記読取部が読取処理を実行する状態において前記読取部と前記シートとの間の第１位置に位置して上面をカバー面として上方から前記読取部を覆うように配置され、前記読取部が前記シート上に形成された前記画像を読み取ることが可能なように透光性の材料で形成されたカバー部材と、
前記カバー部材を、前記カバー面が前記シートに対向する前記第１位置から、前記カバー面が倒立またはその倒立状態付近まで傾斜した第２位置まで回動可能に支持する回動機構と、
を備えたことを特徴とする画像読取装置。
【請求項２】
前記カバー部材が回動するように前記回動機構を駆動する駆動部と、
前記読取部が読取処理を実行していない期間に、前記駆動部に前記回動機構を駆動させて、前記カバー部材を前記第１位置から前記第２位置へ回動させる制御部を備えた請求項１に記載の画像読取装置。
【請求項３】
前記シートを自動的に給送する給送部が着脱可能に装備されており、
前記制御部は、前記給送部が装着されており、前記読取部による画像の読取りのために待機している状態において、前記カバー部材の位置が前記第２位置になるように制御する第１制御手段を備えた請求項２に記載の画像読取装置。
【請求項４】
前記読取部による画像の読取りを複写処理の一部として用いる複写部を備え、
前記制御部は、前記複写部が複写処理を実行し、前記読取部が画像の読取りのために待機している状態において、前記カバー部材の位置が前記第２位置になるように制御する第２制御手段を備えた請求項２又は３に記載の画像読取装置。
【請求項５】
前記カバー部材の位置を前記第２位置で固定するロック部を備えた請求項１乃至４のいずれか１項に記載の画像読取装置。
【請求項６】
前記制御部によって、前記カバー部材を前記第１位置から前記第２位置へ回動するように制御するか否かを選択する入力を受け付ける入力部を備えた請求項２乃至４のいずれか１項に記載の画像読取装置。
【請求項７】
前記読取部と対向する位置に配置されて、前記シートを前記読取部の方向へと押圧する機能を有し、表面が単一色で形成されたプラテン部と、
前記シートを給送せずに前記読取部に前記プラテン部の前記表面を読み取らせるプラテン読取手段と、
そのプラテン読取手段によって前記読取部に前記プラテン部の表面を読み取らせて得られた画像における色情報を解析して、前記画像に前記単一色とは異なる領域があることを検出する検出手段と、
その検出手段によって前記画像に前記単一色とは異なる領域があることが検出された場合に、前記制御部に対して、前記カバー部材の位置が前記第２位置になるように指令を出す指令手段と、
を備えた請求項２乃至４のいずれか１項に記載の画像読取装置。
【請求項８】
前記読取部にはＣＣＤセンサ、及びそのＣＣＤセンサによる画像の読取りのための光学部材の系列が装備された請求項１乃至７のいずれか１項に記載の画像読取装置。
【請求項９】
前記読取部には密着型画像センサが装備された請求項１乃至７のいずれか１項に記載の画像読取装置。
【発明の詳細な説明】
【技術分野】
【０００１】
本発明は、画像読取装置に関する。
【背景技術】
【０００２】
スキャナ、またはコピアにおいて、原稿自動送り装置（ＡＤＦ：Ａｕｔｏｍａｔｉｃ  Ｄｏｃｕｍｅｎｔ  Ｆｅｅｄｅｒ）におけるＡＤＦコンタクトガラスの表面(原稿搬送面)や裏面、さらには読取モジュールのカバーガラス面、ミラー面などの光学系にゴミ、埃等の異物が付着する場合がある。
【０００３】
これらのゴミ、埃等の異物がＣＣＤ読取ライン上にある場合、原稿の読取りの際に、原稿搬送方向へのいわゆる「縦すじ」になることが知られている。縦すじは本来の原稿上の画像には存在しないものであり、したがって、縦すじのあるスキャン出力画像もしくはコピー画像はユーザにとっては異常画像である。
【０００４】
この異常を解消するため電気的・ソフト的には、ゴミ、埃を検出しデータに逆補正を掛けることにより、すじの程度を軽減しようと言う従来例が知られている。しかしながらそれらは読み取ったデータの補正であり、完全には除去しきれない。また、ゴミ、埃の検出が不完全な場合には効果が無い。
【０００５】
また下記特許文献のように、ガラスの清掃、もしくはゴミ、埃の溜めを作るという技術によって、異常の原因となるゴミ、埃を除去するという直接的な解決方法がある。下記特許文献１では、ＡＤＦユニット内基準反射板の上部に、フェルト状のクリーナを装着した塵埃除去装置を、原稿一枚搬送するごとに回転させ、光路経路上にある読み取りガラスを清掃する。しかしながらこれは、ガラスの原稿通過面側の清掃技術である。
【０００６】
また下記特許文献２では、紙粉等の異物を収容しておき、任意の時期にＡＤＦ用プラテンガラスを外して清掃できるようにする。これは原稿通紙により運ばれてくるゴミを溜めるゴミ箱を通紙経路に設けある時期にガラスを取り外し清掃するものである。
【先行技術文献】
【特許文献】
【０００７】
【特許文献１】特開平６−１６４８６３号公報
【特許文献２】特開２００２−１６５０５９号公報
【発明の概要】
【発明が解決しようとする課題】
【０００８】
しかしこれらはＡＤＦコンタクトガラス表面(原稿通過面)のゴミ、埃対策である。従来の中級スキャナ、コピアでは、ＡＤＦコンタクトガラスを取り外せる構造となっているものが大多数であり、ＡＤＦコンタクトガラス裏面にゴミ、埃が付着した場合は、ＡＤＦコンタクトガラスを取り外し清掃することで対応されている。
【０００９】
しかし最近の低価格層のスキャナ、スキャナプリンタ一体型においては、ＡＤＦコンタクトガラスが取り外しできない構造が多い。このような装置においては、スキャナ筐体内に入り込んで読取モジュールのカバーガラス上にゴミ、埃が付着すると、簡単な手順で清掃のしようが無く、市場ユーザでは対応方法が無かった。
【００１０】
そこで本発明が解決しようとする課題は、上記問題点に鑑み、製品状態において取り外してスキャナ筐体内を清掃することが困難な場合に、スキャナ筐体内に入り込んで読取モジュールのカバーガラス上に乗ったゴミ、埃等の異物の除去を、ユーザが清掃を意識することなく行える、さらにはカバーガラス上に異物が乗りにくい画像読取装置を提供することにある。
【課題を解決するための手段及び発明の効果】
【００１１】
上記課題を達成するために、本発明に係る画像読取装置は、上方に配置されたシートの表面に形成された画像を読み取る読取部と、前記読取部が読取処理を実行する状態において前記読取部と前記シートとの間の第１位置に位置して上面をカバー面として上方から前記読取部を覆うように配置され、前記読取部が前記シート上に形成された前記画像を読み取ることが可能なように透光性の材料で形成されたカバー部材と、前記カバー部材を、前記カバー面が前記シートに対向する前記第１位置から、前記カバー面が倒立またはその倒立状態付近まで傾斜した第２位置まで回動可能に支持する回動機構と、を備えたことを特徴とする。
【００１２】
これにより本発明に係る画像読取装置では、読取部を上方から覆うカバー部材を、カバー面上に異物が乗ることが抑制される角度へカバー部材を回動させることが可能であるので、カバー部材を回動させるという簡易な方法で、カバー面上にごみや埃などの異物が乗ることを抑制し、またカバー面上にごみや埃などの異物が乗った場合はそれらを落とすことができる。さらにカバー部材を回動させることは簡素な構造で達成できるので、簡易な構造を構築するのみでカバー面上に異物が乗らないようにして読取画像が異常となる事態を抑制できる。
【００１３】
また前記カバー部材が回動するように前記回動機構を駆動する駆動部と、前記読取部が読取処理を実行していない期間に、前記駆動部に前記回動機構を駆動させて、前記カバー部材を前記第１位置から前記第２位置へ回動させる制御部を備えたとしてもよい。
【００１４】
これにより本発明に係る画像読取装置では、読取部を上方から覆うカバー部材を、読取部が読取処理を実行していない期間に、駆動部により駆動して、カバー面上に乗った異物が落ちることが可能な角度へカバー部材を回動するように制御するので、自動的にカバー面上に乗った異物を落とすことが可能となる。したがって、使用者に清掃行為をさせる必要がなく、使用者にとって利便性が高い。さらに読取部が読取処理を実行していない期間に行うので、カバー部材の回動が読取処理に影響を与えず、かつ読取部が読取処理を実行していない期間を有効に利用することともなる。
【００１５】
また前記シートを自動的に給送する給送部が着脱可能に装備されており、前記制御部は、前記給送部が装着されており、前記読取部による画像の読取りのために待機している状態において、前記カバー部材の位置が前記第２位置になるように制御する第１制御手段を備えたとしてもよい。
【００１６】
これにより給送部が装着されている場合に待機状態の読取部を回動させるシステムが構築できる。したがって給送部が装着されている場合には給送部を使用した画像読取中に紙粉などが装置内に混入する可能性があることが指摘されているが、これを原因としてカバー面に異物が乗ることが抑制できる。
【００１７】
また前記読取部による画像の読取りを複写処理の一部として用いる複写部を備え、前記制御部は、前記複写部が複写処理を実行し、前記読取部が画像の読取りのために待機している状態において、前記カバー部材の位置が前記第２位置になるように制御する第２制御手段を備えたとしてもよい。
【００１８】
これにより複写処理を実行する状態において、待機状態の読取部を回動させるシステムが構築できる。したがって複写処理の場合には、例えばスキャナ処理などのように画像データを保存しておいて後で同データを修正することが不可能なので、カバー面上に異物が乗らないようにすることが極めて重要であるが、この課題に好適なシステムが構築できる。
【００１９】
また前記カバー部材の位置を前記第２位置で固定するロック部を備えたとしてもよい。
【００２０】
これにより画像読取装置を移動させている間にロック部によって読取部を固定すれば、画像読取装置を移動中に読取部が動いて破損する等の不具合が回避できるとともに、移動中にカバー面に異物が乗らないようにすることもできる。
【００２１】
また前記制御部によって、前記カバー部材を前記第１位置から前記第２位置へ回動するように制御するか否かを選択する入力を受け付ける入力部を備えたとしてもよい。
【００２２】
これによりカバー部材の回動を実行するか否かを選択することができるシステムが構築できる。したがって例えば迅速な読取開始が求められ、カバー面上の異物を落とす位置から読取りのときの位置への位置の回復のために若干の時間がかかることが望ましくない場合等に、回動しないことを選択して迅速な読取開始が可能なシステムを構築できる。
【００２３】
また前記読取部と対向する位置に配置されて、前記シートを前記読取部の方向へと押圧する機能を有し、表面が単一色で形成されたプラテン部と、前記シートを給送せずに前記読取部に前記プラテン部の前記表面を読み取らせるプラテン読取手段と、そのプラテン読取手段によって前記読取部に前記プラテン部の表面を読み取らせて得られた画像における色情報を解析して、前記画像に前記単一色とは異なる領域があることを検出する検出手段と、その検出手段によって前記画像に前記単一色とは異なる領域があることが検出された場合に、前記制御部に対して、前記カバー部材の位置が前記第２位置になるように指令を出す指令手段と、を備えたとしてもよい。
【００２４】
これによりシートではなくプラテン部を読み取って色情報を解析して異物がカバー面に乗っていると判断される場合にカバー面を回動させるので、カバー面に異物が乗っているか否かを精度よく検出して、カバー面に異物が乗っている場合にカバー面を回動させるシステムが構築できる。
【００２５】
また前記読取部にはＣＣＤセンサ、及びそのＣＣＤセンサによる画像の読取りのための光学部材の系列が装備されたとしてもよい。
【００２６】
これにより広く普及しているＣＣＤセンサ、及び光学部材の系列によって読取部が構成されている画像読取装置に対して、読取部を覆うカバー面を回動させてカバー面に乗った異物を除去するシステムが構築できる。
【００２７】
また前記読取部には密着型画像センサが装備されたとしてもよい。
【００２８】
これにより広く普及している密着型画像センサによって読取部が構成されている画像読取装置に対して、読取部を覆うカバー部材を回動させてカバー面に乗った異物を除去するシステムが構築できる。
【図面の簡単な説明】
【００２９】
【図１】本発明の一実施形態における画像読取装置の構成図。
【図２】回動軸を示す図。
【図３】読取モジュールの例を示す図。
【図４】読取モジュールの別の例を示す図。
【図５】異物検出及びカバー面回動処理を示すフローチャート。
【図６】白出力の波形の例を示す図。
【図７】制御部の詳細を示す図。
【図８】読取モジュールの回動を示す図。
【発明を実施するための形態】
【００３０】
以下、本発明の実施形態を図面を参照しつつ説明する。まず図１は、本発明の一実施形態における画像読取装置１（スキャナ、コピア等）の構成図である。
【００３１】
画像読取装置１は、いわゆる複数の機能を有する複合機（ＭＦＰ：Ｍｕｌｔｉ−Ｆｕｎｃｔｉｏｎ  Ｐｅｒｉｐｈｅｒａｌ、あるいはＡｌｌ  Ｉｎ  Ｏｎｅ  Ｐｅｒｉｐｈｅｒａｌ）であるとする。画像読取装置１の図示最上部にＡＤＦ２が配置され、ＡＤＦ２よりも図示下方には画像読取部３が、さらに下方にはプリンタ部４が配置されている。
【００３２】
ＡＤＦ２は着脱可能であるとする。図１における図示上方、下方はそれぞれ鉛直方向上方、下方に対応する。ユーザは、後述する入力部３９０、又は５１を用いて、プリンタモードやコピーモード、スキャナモード、ＦＡＸモード等、画像読取装置１の各種モードを設定できるとする。
【００３３】
図１のとおり、ＡＤＦ２は給紙トレイ２０、排紙トレイ２１、白プラテンローラ２３を備えており、画像読取部３には、ＡＤＦコンタクトガラス３１が備えられている。そして給紙トレイ２０から、白プラテンローラ２３とＡＤＦコンタクトガラス３１とに挟まれた部位を通って排紙トレイ２１まで原稿搬送路２２が形成されている。図示しない搬送ローラが原稿搬送路の各所に配置されているとすればよい。
【００３４】
給紙トレイ２０上に載置された通常複数の原稿から順次１枚ずつ原稿Ｐが搬送されていき、図示しないモータ等によって駆動される各所に配置された搬送ローラによって、原稿搬送路２２に沿って、白プラテンローラ２３とＡＤＦコンタクトガラス３１とに挟まれた部位へ搬送されて、さらに排紙トレイ２１へ搬送されて排紙される。
【００３５】
白プラテンローラ２３とＡＤＦコンタクトガラス３１とに挟まれた部位においては、原稿Ｐは白プラテンローラ２３の回動によって搬送されつつ、白プラテンローラ２３が図示下方へ押圧することによって原稿ＰがＡＤＦコンタクトガラス３１へ押し付けられる。
【００３６】
画像読取部３は、ＡＤＦコンタクトガラス３１の他に、フラットベッドコンタクトガラス３２、読取モジュール３３、ブラケット３４、回動軸３５、レール３６、モータ３７、ロック部３８、制御部３９を備える。フラットベッドコンタクトガラス３２は、ＡＤＦ２を用いずにフラットベッドコンタクトガラス３２上に原稿等を載置して読取モジュール３３を移動させて画像を読み取るために装備されている。
【００３７】
読取モジュール３３はブラケット３４上に固定されており、モータ３７が駆動されることによってブラケット３４がレール３６上を移動することによって、ブラケット３４とともに水平に平行移動する。図１に実線で示された読取モジュール３３の位置が、読取モジュール３３が位置する最左端の位置とし、この位置を読取モジュール３３のホームポジション（待機位置）とする。
【００３８】
読取モジュール３３は、ＡＤＦコンタクトガラス３１越しに画像を読み取る場合にホームポジションに位置する。また読取モジュール３３は、フラットベッドコンタクトガラス３２における画像の読取りが終了するとホームポジションに戻って待機するとする。
【００３９】
図７には制御部３９の構造が示されている。制御部３９は通常のコンピュータと同様の構造で情報処理機能を有するとし、各種演算を実行するＣＰＵ３９１や、そのための作業領域としてのＲＡＭ３９２、記憶部としてのＲＯＭ３９３等を備え、これらがバスによって接続されて情報の受け渡しが行われる。モータ３７の駆動は制御部３９によって指令、制御されるとする。
【００４０】
原稿Ｐの表面（ＡＤＦコンタクトガラス３１に接する面）の画像がＡＤＦコンタクトガラス３０の下方に位置する読取モジュール３３によって読み取られる。読取モジュール３３の例が図３、４に示されている。図３の例では、読取モジュール３３はＣＣＤ（Ｃｈａｒｇｅ  Ｃｏｕｐｌｅｄ  Ｄｅｖｉｃｅ（電荷結合素子））センサ３３２を備えている。図４の例では、読取モジュール３３は密着型画像センサ３３７（ＣＩＳ：Ｃｏｎｔａｃｔ  Ｉｍａｇｅ  Ｓｅｎｓｏｒ）を備えている。
【００４１】
図３では、ＣＣＤセンサ３３２、及び複数のミラー３３０、レンズ３３１、光源３３５が筐体３３３の中に収容されている。光源３３５は例えば白色蛍光ランプとすればよい。筐体３３３の図示上部はカバーガラス３３４とされ、カバーガラス３３４の図示上部の面がカバー面３３４ａである。カバーガラス３３４を通じて読取モジュール３３による読取りがなされる。この目的のためにカバーガラス３３４はガラスにより形成されて透光性を有する。ここでは特に無色透明とすればよい。
【００４２】
光源３３５が原稿Ｐを照射することにより得られた原稿Ｐの画像情報を含む光Ｌは、カバーガラス３３４を通って、複数のミラー３３０に反射した後にレンズ３３１で縮小されてＣＣＤセンサ３３２上に結像する。結像した光ＬはＣＣＤセンサ３３２で電気信号に変換されて画像データとなる。
【００４３】
一方図４では、筐体３３３内には、光源３３５、レンズ３３６、ＣＩＳ３３７が収容されている。光源３３５は例えば、Ｒ（赤）、Ｇ（緑）、Ｂ（青）の３色のＬＥＤ（発光ダイオード）が高速に交替で照射するタイプとすればよい。
【００４４】
こうした光源３３５が原稿Ｐを照射することにより得られた原稿Ｐの画像を含む光Ｌは、カバーガラス３３４を通って、さらにレンズ３３６を通ってＣＩＳ３３７上に結像する。結像した光ＬはＣＩＳ３３７で電気信号に変換されて画像データとなる。
【００４５】
本発明の主要な特徴は、ホームポジションに位置する状態の読取モジュール３３及びブラケット３４が、回動軸３５を中心にして回動可能とされていることである。この回動では読取モジュール３３のカバー面３３４ａが鉛直方向と平行となる位置にまで、つまり９０度回動できるとする。回動軸３５（の軸方向）はレール３６の方向及び鉛直方向と垂直な方向とすればよい。
【００４６】
図８に、読取モジュール３３及びブラケット３４の回動の詳細が示されている。図８（ａ）が読取モジュール３３が読取処理を実行するときの位置であり、図８（ｂ）が読取モジュール３３及びブラケット３４が回動軸３５回りに９０度回動した位置である。図８（ａ）における読取モジュール３３（及びブラケット３４）の位置を第１位置とし、図８（ｂ）における読取モジュール３３（及びブラケット３４）の位置を第２位置とする。第１位置ではカバー面３３４ａは水平面と平行であり、第２位置ではカバー面３３４ａは鉛直方向と平行である。
【００４７】
読取モジュール３３（及びブラケット３４）を第２位置に回動して、カバー面３３４ａを鉛直方向と平行な姿勢にすることにより、画像読取装置１の外部から混入してカバー面３３４ａ上に乗ったゴミや埃等の異物を落とすことができる。したがってカバー面３３４ａ上に乗った異物が画像の読取りの精度を劣化させることが抑制できる。読取モジュール３３はモータ３７によって駆動されて回動軸３５周りに回動する。この回動は制御部３９によって指令、制御されるとする。
【００４８】
読取モジュール３３を９０度回動する期間は、読取モジュール３３が画像の読取りを実行していない期間とすればよい。また読取モジュール３３の回動は、読取モジュール３３がホームポジションにあるときのみ実行するとすればよい。レール３６は読取モジュール３３が９０度回動したときに障害とならない位置に配置する。
【００４９】
また図１から容易に理解できるように、読取モジュール３３が９０度回動したときにＡＤＦコンタクトガラス３１と接触しないようにするためには、回動軸３５をブラケット３５の中心からずらした位置になるように配置するのが好適である。ここで中心とはレール３６と平行な方向における位置である。
【００５０】
制御部３９は、ＡＤＦ２が装着されている場合は、読取モジュール３３がホームポジションに位置している状態、すなわち待機状態で常に読取モジュール３３を９０度回動させて、カバー面３３４ａが鉛直方向と平行となる姿勢になるように制御してもよい。この制御はプログラム化して、図７のとおりプログラム３９４としてＲＯＭ３９３に記憶しておき、ＣＰＵ３９１が自動的に実行すればよい。ＡＤＦ２での読取中に画像読取装置１内に紙粉などのゴミや埃が混入する可能性があることが指摘されているので、上記制御によってそれらがカバー面３３４ａ上に乗る不具合が抑制できる。
【００５１】
また制御部３９は、コピーモードに設定されている間、読取モジュール３３がホームポジションに位置した待機状態では、常に読取モジュール３３を９０度回動させてカバー面３３４ａが鉛直方向と平行となる姿勢になるように制御してもよい。この制御はプログラム化して、図７のとおりプログラム３９５としてＲＯＭ３９３に記憶しておき、ＣＰＵ３９１が自動的に実行すればよい。
【００５２】
コピーモードにおいては画像読取部３による画像の読取り後に直ちにプリンタ部４で印刷するので、スキャナ動作のように画像データを保存しておいて後で同データを修正することが不可能である。したがってコピーモードではカバー面３３４ａ上に異物が乗らないようにすることが極めて重要である。上記制御によって、コピーモードにおいてカバー面３３４ａ上に異物が乗ることが抑制される。
【００５３】
図２は回動軸３５の拡大図である。回動軸３５は軸受３５１によって支持されており、軸受３５１はブラケット３４に固定されている。これによりブラケット３４は回動軸３５回りを回動可能となる。回動軸３５には図２に示すような凸部３５２が形成されており、軸受３５１には２ヶ所の凹部３５３、３５４が形成されている。
【００５４】
凹部３５３、３５４の間の間隔（中心角）は９０度とすればよい。ブラケット３４が回動する際に、凸部３５２が凹部３５３か凹部３５４に係合することによって、ブラケット３４の位置が固定できる。これにより、カバー面３３４ａが水平方向と平行となる姿勢（第１位置）と、鉛直方向と平行となる姿勢（第２位置）とが簡易な方法で安定的に固定できる。
【００５５】
さらに画像読取部３には、図１のとおりロック部３８が装備されている。ロック部３８は上下方向に平行移動可能となっており、画像読取部３の外部に突出したつまみ部を持ってユーザが上下に動かすことができる。カバー面３３４ａが水平方向と平行の姿勢にあるときにユーザが上方にロック部３８を押し上げると、ロック部３８の凸部がブラケット３４の凹部（図示なし）に係合して、カバー面３３４ａをその位置で固定できる。同様にカバー面３３４ａが鉛直方向と平行の姿勢にあるときにユーザが上方にロック部３８を押し上げると、ロック部３８の凸部が筐体３３の凹部（図示なし）に係合して、カバー面３３４ａをその位置で固定できる。
【００５６】
これにより画像読取装置１を移動させている間はロック部によって読取モジュール３３の姿勢を固定すれば、移動中に読取モジュール３３が動いて破損する等の不具合が回避できるとともに、移動中にカバー面３３４ａに異物が乗らないようにすることも可能となる。
【００５７】
また図１のとおり制御部３９は入力部３９０を備える。さらに制御部３９は外部のパーソナルコンピュータ５（ＰＣ）とも接続可能である。入力部３９０、あるいはＰＣ５の入力部５１を用いることによってユーザが、上述したＡＤＦ２装着時、あるいはコピーモード時にホームポジションで待機状態にある読取モジュール３３を常に９０度回動させるか否かを選択することができるとしてもよい。
【００５８】
このように選択できるようにする理由は、読取モジュール３３を９０度回動させたくない場合があり得るからである。９０度回動させたくない場合の例としては、迅速な読取開始が求められる場合があげられる。待機状態で９０度回動させるとすると、その姿勢から読取りを開始するまでに姿勢回復のために若干の時間がかかるからである。
【００５９】
本実施形態では、カバー面３３４ａ上に異物があるかどうかを、白プラテンローラ２３を読み取って解析することで判定する機能を付加してもよい。この処理は具体的には図５のように実行される。図５の処理手順ではまず手順Ｓ１０で、ユーザが入力部３９０あるいは５１を用いて白プラテンローラ読取実行を指令する。これを受けて、原稿Ｐを給紙せずに読取モジュール３３で白プラテンローラ２３の表面を読み取る。
【００６０】
次にＳ２０で、読み取って得られた画像データが制御部３９に送られて色情報が解析される。この解析によって例えば図６に示された白出力の波形が得られる。図６の縦軸はセンサ３３２又は３３７の画素における白色の検出値である。白プラテンローラ２３の表面は白の単一色とされており、読取モジュール３３のカバー面３３４ａ上に異物があると、図６のとおり白出力の波形に出力低下部が発生する。
【００６１】
制御部３９は、この出力低下分Ｖｃの数値を測定し、この数値が所定の閾値を越えたら、Ｓ３０で読取モジュール３３のカバー面３３４ａ上に異物があると判定する。カバー面３３４ａ上に異物があると判定された場合（Ｓ３０：ＹＥＳ）はＳ４０に進み、異物がないと判定された場合（Ｓ３０：ＮＯ）は図５の処理を終了する。Ｓ４０では読取モジュール３３を９０度回動させて、カバー面３３４ａを鉛直方向と平行な姿勢にしてカバー面３３４ａ上の異物を落とす。以上が図５の処理手順である。
【００６２】
なお上記実施形態で９０度とした回動角度は、９０度に限定はされず、カバー面３３４ａ上に乗った異物が落ちることが可能な角度であればよい。この目的のためには、例えば６０度、７０度、あるいは８０度から９０度、１００度、あるいは１１０度までの範囲内の角度でも好適である。
【００６３】
上記実施形態で、図３におけるミラー３３０、レンズ３３１、ＣＣＤセンサ３３２、光源３３５、筐体３３３が、図４におけるレンズ３３６、ＣＩＳ３３７、光源３３５、筐体３３３が読取部を構成する。ブラケット３４と回動軸３５と筐体３３３とが回動機構を構成する。画像読取部３とプリンタ部４とが複写部を構成する。Ｓ１０の手順がプラテン読取手段を構成する。Ｓ２０の手順が検出手段を構成する。Ｓ４０が指令手段を構成する。ミラー３３０、レンズ３３１が光学部材を構成する。
【符号の説明】
【００６４】
１    画像読取装置
２    ＡＤＦ（給送部）
３    画像読取部
４    プリンタ部
２３    白プラテンローラ（プラテン部）
３１    ＡＤＦコンタクトガラス
３３    読取モジュール
３４    ブラケット
３５    回動軸
３７    モータ（駆動部）
３８    ロック部
３９    制御部
３３２    ＣＣＤセンサ
３３４    カバーガラス（カバー部材）
３３４ａ    カバー面
３３７    密着型画像センサ
３９４    プログラム（第１制御手段）
３９５    プログラム（第２制御手段）
Ｐ    原稿（シート）
【図１】
2010161700.tif 000003
【図２】
2010161700.tif 000004
【図３】
2010161700.tif 000005
【図４】
2010161700.tif 000006
【図５】
2010161700.tif 000007
【図６】
2010161700.tif 000008
【図７】
2010161700.tif 000009
【図８】
2010161700.tif 000010